(57)【要約】【課題】簡単な構造で製造が容易であり、且つ、結束バンドのヘッド部の回転変位を有利に防止することができる、汎用性の高い、新規な構造の結束バンド固定構造を提供すること。【解決手段】被支持部材１４を収容保持する支持部材１０において、支持部材１０の壁部２５の外面２７に結束バンド保持部２８が突設されている一方、結束バンド保持部２８に貫設されたバンド挿通孔３０に対して、結束バンド１６の帯状部４４を挿通配置すると共に、結束バンド１６により、被支持部材１４を支持部材１０に結束固定する結束バンド固定構造において、結束バンド保持部２８の上端面３２が、壁部２５の上端面３４よりも下方に位置されていると共に、結束バンド保持部２８の上端面３２と壁部２５の外面２７によって形成されたヘッド収容部５６に、結束バンド１６のヘッド部４６が収容保持されるようにした。【選択図】図１
2014158313.tif 000002
【特許請求の範囲】
【請求項１】
被支持部材を収容保持する支持部材において、前記支持部材の壁部の外面に結束バンド保持部が突設されている一方、該結束バンド保持部に貫設されたバンド挿通孔に対して、結束バンドの帯状部を挿通配置すると共に、該結束バンドにより、前記被支持部材を前記支持部材に結束固定する結束バンド固定構造において、
前記結束バンド保持部の上端面が、前記壁部の上端面よりも下方に位置されていると共に、前記結束バンド保持部の上端面と前記壁部の外面によって形成されたヘッド収容部に、前記結束バンドのヘッド部が収容保持されている
ことを特徴とする結束バンド固定構造。
【請求項２】
前記結束バンド保持部の上端面と前記壁部の外面との為す角が、７０°〜１１０°の範囲に設定されている請求項１に記載の結束バンド固定構造。
【請求項３】
前記ヘッド収容部において、前記結束バンド保持部の上端面からの前記壁部の外面の突出高さが、前記結束バンド保持部の上端面に載置された前記ヘッド部の高さ寸法の１／５以上４／５以下とされている請求項１又は２に記載の結束バンド固定構造。
【請求項４】
前記壁部の上端面に開口する切欠部が設けられており、該切欠部によって、前記ヘッド収容部における前記結束バンド保持部の上端面からの前記壁部の外面の突出高さが、小さくされている請求項１〜３の何れか１項に記載の結束バンド固定構造。
【請求項５】
前記被支持部材がワイヤハーネスとされている一方、前記支持部材が電気接続箱に一体的に形成されたワイヤハーネス導出部とされている請求項１〜４の何れか１項に記載の結束バンド固定構造。
【請求項６】
前記被支持部材がワイヤハーネスとされている一方、前記支持部材が該ワイヤハーネスを保持するプロテクタとされている請求項１〜４の何れか１項に記載の結束バンド固定構造。
【発明の詳細な説明】
【技術分野】
【０００１】
本発明は、被支持部材を支持部材に対して結束バンドにより固定する、結束バンド固定構造に関するものである。
【背景技術】
【０００２】
従来から、自動車等においては、ワイヤハーネス等の被支持部材を、プロテクタ等の支持部材に収容保持して結束バンドで固定する、結束バンド固定構造が広く用いられている。例えば、特開平７−９５７１４号公報（特許文献１）の図７に記載されているように、プロテクタ等の支持部材は、ワイヤハーネス等の被支持部材を収容保持する樋状部を有しており、この樋状部の側壁の突出端面に、結束バンド保持部が突設された構造とされている。そして、結束バンド保持部に設けられたバンド挿通孔に、結束バンドの帯状部を挿通配置することにより、結束バンドが支持部材に離脱不能に支持されて、被支持部材を支持部材に対して結束バンドにより安定して固定することができる。
【０００３】
ところで、従来の結束バンド固定構造においては、結束バンド保持部が支持部材の樋状部における側壁の突出端面に設けられており、結束バンド保持部のバンド挿通孔に対して、結束バンドが挿通されることのみによって、結束バンドが支持部材に係止されている。それ故、結束バンドの結束作業時等に、結束バンドのヘッド部の位置がばらつき易く、特許文献１の図８に記載されているように、ヘッド部がプロテクタの上方に突出して他部材と干渉するおそれがあった。また、結束後も、ワイヤハーネス等から及ぼされる変位荷重により、結束バンドのヘッド部が回転変位し易く、後発的に他部材との干渉が生じるおそれもあった。
【０００４】
そこで、特許文献１の図３に示すように、結束バンド保持部のバンド挿通孔の内面に係合突部を設け、かかる係合突部を結束バンドの帯状部の一方の平面に設けられた鋸歯状の係止突起に係合させることにより、結束バンドのヘッド部の回転変位を阻止する構造が提案されている。
【０００５】
しかしながら、結束バンド保持部のバンド挿通孔の内面に、係合突部を別途設けることは、製造上容易ではなく製造コストの上昇を招くという問題を内在していた。また、特許文献１の図３に示されているように、係合突部がバンド挿通孔の内周側の面に形成されている場合は、当該係合突部に、結束バンドの帯状部の係止突起を係合させるためには、帯状部の係止突起が被支持体側（内側）に向くような、結束バンドを選択する必要がある。従って、ワイヤハーネスの結束テープ破断を防止したい等、結束バンドの帯状部の係止突起を被支持体側に向けたくない場合には、バンド挿通孔の外周面側に係合突部を突設するように設計変更する必要があり、汎用性に乏しいという問題があった。
【先行技術文献】
【特許文献】
【０００６】
【特許文献１】特開平７−９５７１４号公報
【発明の概要】
【発明が解決しようとする課題】
【０００７】
本発明は、上述の事情を背景に為されたものであって、その解決課題は、簡単な構造で製造が容易であり、且つ、結束バンドのヘッド部の回転変位を有利に防止することができる、汎用性の高い、新規な構造の結束バンド固定構造を提供することにある。
【課題を解決するための手段】
【０００８】
以下、前述の如き課題を解決するために為された本発明の態様を記載する。なお、以下に記載の各態様において採用される構成要素は、可能な限り任意の組み合わせで採用可能である。
【０００９】
本発明の第一の態様は、被支持部材を収容保持する支持部材において、前記支持部材の壁部の外面に結束バンド保持部が突設されている一方、該結束バンド保持部に貫設されたバンド挿通孔に対して、結束バンドの帯状部を挿通配置すると共に、該結束バンドにより、前記被支持部材を前記支持部材に結束固定する結束バンド固定構造において、前記結束バンド保持部の上端面が、前記壁部の上端面よりも下方に位置されていると共に、前記結束バンド保持部の上端面と前記壁部の外面によって形成されたヘッド収容部に、前記結束バンドのヘッド部が収容保持されている
ことを特徴とする。
【００１０】
本態様によれば、結束バンド保持部の上端面が、支持部材の壁部の上端面よりも下方に位置されていることから、結束バンド保持部の上端面と壁部の外面との間に、それらによって形成されるヘッド収容部を設けることができる。従って、ヘッド収容部に結束バンドのヘッド部を収容保持することにより、結束バンドの支持部材における位置決め安定性を飛躍的に向上させることができる。
【００１１】
具体的には、ヘッド収容部を形成する結束バンド保持部の上端面により、結束バンドのヘッド部の下方側への回転変位を阻止すると共に、ヘッド収容部を形成する壁部の外面によりヘッド部の上方側への回転変位を阻止することができる。それ故、結束バンドの結束時や結束後におけるヘッド部の回転変位を有利に防止して、結束バンドのヘッド部の位置ばらつきや、それに伴うヘッド部と他部材との干渉等の発生を未然に防止できる。
【００１２】
しかも、ヘッド収容部は、結束バンド保持部の上端面を壁部の上端面よりも下方に設けるという極めて簡単な構造で設けられることから、従来構造の如き、結束バンド保持部のバンド挿通孔内に係合突部を設ける場合に比して、製造が容易であり、製造コストの削減を図ることができる。
【００１３】
特に、ヘッド収容部に結束バンドのヘッド部を収容保持できることから、支持部材からの結束バンドのヘッド部の突出量を抑えることができ、小型化・高密度化等の要求にも有利に対応できるのである。
【００１４】
本発明の第二の態様は、前記第一の態様に記載のものにおいて、前記結束バンド保持部の上端面と前記壁部の外面との為す角が、７０°〜１１０°の範囲に設定されているものである。
【００１５】
本態様によれば、支持部材の壁部に突設された結束バンド保持部の上端面と壁部の外面との為す角が７０°〜１１０°の範囲に設定されていることから、ヘッド収容部に対する結束バンドのヘッド部の係合が安定して実現され、より確実に結束バンドのヘッド部を、ヘッド収容部に収容保持して位置決め安定性を向上させることができる。
【００１６】
なお、結束バンド保持部の上端面と壁部の外面との為す角は、確実に結束バンドのヘッド部を収容保持するという観点から、好ましくは７０°〜１１０°の範囲、より好ましくは８０°〜１００°の範囲に設定されることが望ましい。
【００１７】
本発明の第三の態様は、前記第一又は第二の態様に記載のものにおいて、前記ヘッド収容部において、前記結束バンド保持部の上端面からの前記壁部の外面の突出高さが、前記結束バンド保持部の上端面に載置された前記ヘッド部の高さ寸法の１／５以上４／５以下とされているものである。
【００１８】
ヘッド収容部を形成する壁部の外面が結束バンド保持部の上端面から突出する突出高さが、結束バンド保持部の上端面に載置されたヘッド部の高さ寸法の１／５よりも小さいと、ヘッド収容部によるヘッド部の回転阻止機能が十分に発揮されないおそれがある。また、４／５よりも大きいと、結束バンドの帯状部と壁部の外面の突出端部が干渉して、ヘッド収容部にヘッド部を安定して収容保持することが難しくなる。
【００１９】
なお、ヘッド収容部を形成する壁部の外面の高さ方向の先端面は、壁部の上端面で形成されてもよいし、後述する第四の態様の如き、壁部の上端面に設けられた切欠部の底面によって構成されてもよい。
【００２０】
本発明の第四の態様は、前記第一乃至第三の何れか１つの態様に記載のものにおいて、前記壁部の上端面に開口する切欠部が設けられており、該切欠部によって、前記ヘッド収容部における前記結束バンド保持部の上端面からの前記壁部の外面の突出高さが、小さくされているものである。
【００２１】
本態様によれば、壁部の上端面に開口する切欠部を設けることにより、結束バンド保持部の上端面からの壁部の外面の突出高さを任意に変更することができる。それ故、支持部材に収容保持したワイヤハーネスの径が小さい場合に、支持部材にワイヤハーネスをガタツキなく固定することができる。また、結束バンドのヘッド部が小さい場合にも、壁部の外面の突出高さを小さくして、壁部の上端面に結束バンドの帯状部が干渉することを防止して、ヘッド収容部に結束バンドのヘッド部を安定して収容保持することができる。要するに、ワイヤハーネスの径や結束バンドの形状のばらつきにも、切欠部の大きさを任意に設定することで、柔軟に対応することができる。
【００２２】
本発明の第五の態様は、前記第一乃至第四の何れか１つの態様に記載のものにおいて、前記被支持部材がワイヤハーネスとされている一方、前記支持部材が電気接続箱に一体的に形成されたワイヤハーネス導出部とされているものである。
【００２３】
本態様によれば、支持部材が電気接続箱に一体的に形成されたワイヤハーネス導出部である場合にも、本発明の結束バンド固定構造を有利に適用できる。それ故、電気接続箱の外面に配設される結束バンドのヘッド部の位置ばらつきや回転変位を有効に規制して、他部材との干渉を未然に防止できる。
【００２４】
本発明の第六の態様は、前記第一乃至第四の何れか１つの態様に記載のものにおいて、前記被支持部材がワイヤハーネスとされている一方、前記支持部材が該ワイヤハーネスを保持するプロテクタとされているものである。
【００２５】
本態様によれば、例えばワイヤハーネスを保持するプロテクタに対して本発明の結束バンド固定構造を有利に適用できる。それ故、プロテクタの外面に配設される結束バンドのヘッド部の位置ばらつきや回転変位を有効に規制して、他部材との干渉を未然に防止できる。
【発明の効果】
【００２６】
本発明の結束バンド固定構造によれば、結束バンド保持部の上端面が、支持部材の壁部の上端面よりも下方に位置されていることから、結束バンド保持部の上端面と壁部の外面との間に、それらによって形成されるヘッド収容部を設けることができる。これにより、結束バンドの結束時や結束後におけるヘッド部の回転変位を有利に防止して、結束バンドのヘッド部の位置ばらつきや、それに伴うヘッド部と他部材との干渉等の発生を未然に防止できる。しかも、ヘッド収容部は、結束バンド保持部の上端面を壁部の上端面よりも下方に設けるという極めて簡単な構造で設けられることから、製造が容易で製造コストの削減を図ることができる。
【図面の簡単な説明】
【００２７】
【図１】本発明の第一の実施形態としての結束バンド固定構造に用いられる結束バンドとプロテクタを示す斜視図。
【図２】本発明の第一の実施形態としての結束バンド固定構造を示す斜視図。
【図３】図２のＩＩＩ−ＩＩＩ断面拡大図。
【図４】本発明の結束バンド固定構造を構成する結束バンドの他の態様を示す要部拡大図であって、図３に対応する図。
【図５】本発明の結束バンド固定構造を構成するプロテクタの他の態様を示す要部拡大斜視図。
【図６】本発明の第二の実施形態としての結束バンド固定構造を示す斜視図。
【発明を実施するための形態】
【００２８】
以下、本発明の実施形態について、図面を参照しつつ説明する。
【００２９】
図１〜３に、本発明の第一の実施形態に従う結束バンド固定構造を用いて、支持部材たるプロテクタ１０の樋状部１２に収容保持された被支持部材たるワイヤハーネス１４を、結束バンド１６によりプロテクタ１０に結束固定する構造が示されている。図１に示すように、プロテクタ１０は、樋状に延びる樋状部１２と、樋状部１２の上方開口部１８を覆蓋する蓋体２０を含んで構成されており、例えばポリプロピレン（ＰＰ）、ポリアミド（ＰＡ）等の合成樹脂により射出成形等によって一体形成されている。以下の説明において、上方とは、図１中の上方、下方とは、図１中の下方、また前方とは、図１中の左方、後方とは、図１中の右方を言うものとする。
【００３０】
樋状部１２は、底壁２２と底壁２２の両側から立ち上がる一対の側壁２４ａ，２４ｂを含んで樋状に延びる構成とされている。樋状部１２の長手方向先端部において、奥側の側壁２４ａ及び底壁２２から長手方向前方に一体的に延び出すＬ字状のワイヤハーネス固定部２６が設けられており、ワイヤハーネス１４を固定できるようになっている。
【００３１】
図１に示すように、ワイヤハーネス固定部２６において、樋状部１２の側壁２４ａに連接する壁部２５の外面２７には、外方に向かって矩形断面形状で突出する結束バンド保持部２８が設けられている一方、この結束バンド保持部２８には、上方開口部１８側に開口するバンド挿通孔３０が貫設されている。そして、結束バンド保持部２８の上端面３２が、ワイヤハーネス固定部２６における壁部２５の上端面３４よりも下方に位置されるようになっている。
【００３２】
また、樋状部１２の手前側の側壁２４ｂには、上方開口部１８側の長手方向両端部において矩形状の係合孔３６が貫設されている一方、樋状部１２の奥側の側壁２４ａの上端には、蓋体２０がヒンジ接続されている。そして、覆蓋時において該係合孔３６に対応する蓋体２０の内面には、内方に向かって突出する係合突起４０が設けられていると共に、係合突起４０の先端部には係合爪４２が突設されている。
【００３３】
上述の如き構造とされたプロテクタ１０に対して、ワイヤハーネス１４が、本実施形態の結束バンド固定構造に従い、以下のように結束固定されることとなる。先ず、プロテクタ１０の樋状部１２にワイヤハーネス１４を収容して、樋状部１２の上方開口部１８を蓋体２０により覆蓋する。この際、蓋体２０の内面に突設された係合突起４０の先端部の係合爪４２が、樋状部１２の手前側の側壁２４ｂに設けられた係合孔３６と嵌合することにより、蓋体２０が樋状部１２に対して係合固定されるようになっている。
【００３４】
次に、結束バンド１６を用いて、プロテクタ１０に対してワイヤハーネス１４を固定する。より詳細には、結束バンド１６は、図１に示されているように、長方形断面の細長い平板形状とされた帯状部４４を備えており、この帯状部４４の長さ方向一方の端部にヘッド部４６が一体形成されている。周知のとおり、結束バンド１６は合成樹脂材料で一体成形されており、帯状部４４が湾曲変形可能となっている。また、帯状部４４には、厚さ方向の一方となる片面４８において、鋸歯状の係止突起５０が帯状部４４の長手方向に多数並んで形成されている。
【００３５】
また、結束バンド１６のヘッド部４６には、挿通孔５２が形成されていると共に、この挿通孔５２の内部に突出して係止片５４が設けられている。そして、帯状部４４をリング状に湾曲させて先端部を挿通孔５２に挿し入れることにより、帯状部４４の係止突起５０に対して係止片５４が係止されるようになっている。さらに、係止突起５０が鋸歯形状とされていることにより、係止突起５０に対する係止片５４の係止作用が、挿通孔５２から帯状部４４を引き抜く方向にだけ機能して、帯状部４４を解除不能に締め付けて係止することができるようになっている。
【００３６】
従って、この結束バンド１６の帯状部４４を結束バンド保持部２８に形成されたバンド挿通孔３０に対して挿通配置して、ワイヤハーネス１４に巻き付けてから、ヘッド部４６に係止させることにより、ワイヤハーネス１４をプロテクタ１０のワイヤハーネス固定部２６に対して締め付けて固定することができるのである。なお、図２に示すように、固定後の結束バンド１６は帯状部４４の先端部を切り取られ、他部材との接触を防止できるようにされている。
【００３７】
このような本実施形態に従う結束バンド固定構造によれば、結束バンド保持部２８の上端面３２が、ワイヤハーネス固定部２６の壁部２５の上端面３４よりも下方に位置されていることから、結束バンド保持部２８の上端面３２と壁部２５の外面２７によって形成されるヘッド収容部５６を設けることができる（図３参照）。それ故、かかるヘッド収容部５６に結束バンド１６のヘッド部４６を収容保持させることにより、結束バンド１６のプロテクタ１０における位置決め安定性を飛躍的に向上させることができるのである。
【００３８】
要するに、ヘッド収容部５６を形成する結束バンド保持部２８の上端面３２により、結束バンド１６のヘッド部４６の下方側への回転変位（図３中、矢印Ａの方向）を阻止することができる。また、ヘッド収容部５６を形成する壁部２５の外面２７によりヘッド部４６の上方側への回転変位（図３中、矢印Ｂの方向）を阻止することができる。これにより、結束バンド１６の結束時や結束後におけるヘッド部４６の回転変位を有利に防止して、結束バンド１６のヘッド部４６の位置ばらつきや、それに伴うヘッド部４６と他部材との干渉等の発生を未然に防止できる。
【００３９】
しかも、ヘッド収容部５６は、結束バンド保持部２８の上端面３２を壁部２５の上端面３４よりも下方に設けるという極めて簡単な構造で設けられることから、従来構造の如き、結束バンド保持部２８のバンド挿通孔３０内に係合突部を設ける場合に比して、製造が容易であり、製造コストの削減を図ることができる。さらに、ヘッド収容部５６に結束バンド１６のヘッド部４６を収容保持できることから、プロテクタ１０からの結束バンド１６のヘッド部４６の突出量を抑えることができ、小型化・高密度化等の要求にも有利に対応できるのである。
【００４０】
加えて、図３に示すように、本実施形態においては、結束バンド保持部２８の上端面３２と壁部２５の外面２７との為す角：αが略９０°とされており、ヘッド収容部５６による結束バンド１６の回転阻止機能が有効に発揮されるようになっている。なお、確実に結束バンド１６のヘッド部４６を収容保持するという観点から、結束バンド保持部２８の上端面３２と壁部２５の外面２７との為す角：αは、好ましくは７０°〜１１０°の範囲、より好ましくは８０°〜１００°の範囲に設定されていればよい。これにより、ヘッド収容部５６に対する結束バンド１６のヘッド部４６の係合が安定して実現され、より確実に結束バンド１６のヘッド部４６を、ヘッド収容部５６に収容保持して位置決め安定性を向上させることができる。
【００４１】
さらに、図３に示すように、本実施形態においては、ヘッド収容部５６において、結束バンド保持部２８の上端面３２からの壁部２５の外面２７の突出高さ：ｈ１が、結束バンド保持部２８の上端面３２に載置されたヘッド部４６の高さ寸法：ｈ２の略２／５とされている。ここで、壁部２５の外面２７の突出高さ：ｈ１が、ヘッド部４６の高さ寸法：ｈ２の１／５以上４／５以下とされていることが望ましい。壁部２５の外面２７の突出高さ：ｈ１が、ヘッド部４６の高さ寸法：ｈ２の１／５よりも小さいと、ヘッド収容部５６によるヘッド部４６の回転阻止機能が十分に発揮されないおそれがある。また、壁部２５の外面２７の突出高さ：ｈ１が、ヘッド部４６の高さ寸法：ｈ２の４／５よりも大きいと、結束バンド１６の帯状部４４と壁部２５の外面２７の突出端部が干渉して、ヘッド収容部５６にヘッド部４６を安定して収容保持することが難しくなるからである。
【００４２】
次に、図４には、本発明の結束バンド固定構造を構成する他の態様の結束バンド６０が示されている。本態様の結束バンド６０においては、ヘッド部４６の挿通孔５２において帯状部４４側から離隔した側の内面に係止片５４が突設された構造とされている。このような結束バンド６０を用いることにより、図４に示すように、帯状部４４の係止突起５０がワイヤハーネス１４に当接しない状態で、ワイヤハーネス１４をプロテクタ１０のワイヤハーネス固定部２６に対して締め付けて固定することができる。
【００４３】
これにより、ワイヤハーネス１４の外周面の図示しない結束テープ等を傷付けることを有利に防止できる。しかも、従来構造の如き、結束バンド保持部２８のバンド挿通孔３０内に係合突部を設ける場合に比して、係合突部を設ける箇所を変更した新たなプロテクタを準備する必要がなく、同じプロテクタ１０に対して適用可能であることから、汎用性の向上を図ることができる。
【００４４】
また、図５には、本発明の結束バンド固定構造を構成するプロテクタ１０の他の態様が示されている。ここでは、壁部６２の上端面３４に開口する切欠部６４が設けられている。この切欠部６４によって、ヘッド収容部５６では、結束バンド保持部２８の上端面３２からの壁部６２の外面２７の突出高さ：ｈ３が、切欠部６４以外の領域における突出高さ：ｈ１より小さくされている。なお、切欠部６４の開口幅寸法：Ｗは、結束バンド１６の帯状部４４が挿通可能な大きさとされている。
【００４５】
このような切欠部６４により、ヘッド収容部５６において、結束バンド保持部２８の上端面３２からの壁部６２の外面２７の突出高さ：ｈ３を任意に変更することができるので、樋状部１２に収容保持したワイヤハーネス１４の径が小さい場合でも切欠部６４を大きく設けることにより、ワイヤハーネス固定部２６にワイヤハーネス１４をガタツキなく固定することができる。また、結束バンド１６のヘッド部４６が小さい場合にも、ヘッド収容部５６における壁部６２の外面２７の突出高さ：ｈ３を切欠部６４により小さくして、切欠部６４形成部位における壁部６２の上端面３４ａに結束バンド１６の帯状部４４が干渉することを防止して、ヘッド収容部５６に結束バンド１６のヘッド部４６を安定して収容保持することができる。要するに、ワイヤハーネス１４の径や結束バンド１６の形状のばらつきに対しても、壁部６２の切欠部６４の大きさを任意に設定することにより、柔軟に対応することができるのである。
【００４６】
次に、図６には、本発明の第二の実施形態としての結束バンド固定構造が示されている。本実施形態においては、被支持部材がワイヤハーネス１４とされている一方、支持部材が、電気接続箱６６に一体的に形成されてワイヤハーネス１４を収容保持するワイヤハーネス導出部６８とされている。すなわち、電気接続箱６６はアッパケース７０とロアケース７２とを含んで構成されている一方、ロアケース７２には支持部材たるワイヤハーネス導出部６８が一体的に形成されているのである。ワイヤハーネス導出部６８は、ロアケース７２の外周面に設けられた開口部７３から略Ｌ字断面形状で所定長さで突設されている。ワイヤハーネス導出部６８は第一の実施形態におけるワイヤハーネス固定部２６と略同一形状とされており、壁部２５の外面２７に結束バンド保持部２８が突設されている。そして、結束バンド保持部２８の上端面３２と壁部２５の外面２７により、ヘッド収容部５６が形成されている。このような電気接続箱６６においては、ロアケース７２の開口部７３から導出されたワイヤハーネス１４が、ワイヤハーネス導出部６８に収容保持され、且つ結束バンド保持部２８に装着された結束バンド１６により、ワイヤハーネス導出部６８に結束固定されている。そこにおいて、図６に示すように、結束バンド１６のヘッド部４６がヘッド収容部５６に位置決め保持されている。これにより、結束バンド１６のヘッド部４６が、結束バンド保持部２８の上端面３２と壁部２５の外面２７に当接することにより、結束バンド１６の結束時や結束後のヘッド部４６の回転変位が有利に防止されるのである。なお、アッパケース７０の上面にはコネクタ装着部７４が配設されており、例えば内部に収容保持されたワイヤハーネス１４の電線端末に設けられた端子部が配設されている。
【００４７】
このように、支持部材が電気接続箱６６に一体的に形成されたワイヤハーネス導出部６８である場合にも、本発明の結束バンド固定構造を有利に適用できる。それ故、電気接続箱６６の外面に配設される結束バンド１６のヘッド部４６の位置ばらつきや回転変位を有効に規制して、他部材との干渉を未然に防止することができるのである。
【００４８】
以上、本発明の実施形態について詳述したが、本発明はその具体的な記載によって限定されない。例えば、本発明の結束バンド固定構造は、電気接続箱やプロテクタの他、固定用ブラケットやクリップ等、結束バンドが装着される支持部材に対して、被支持部材を結束固定するものであればいずれも同様に適用可能である。
【符号の説明】
【００４９】
１０：プロテクタ（支持部材）、１４：ワイヤハーネス（被支持部材）、１６，６０：結束バンド、２５，６２：壁部、２７：外面、２８：結束バンド保持部、３０：バンド挿通孔、３２，３４：上端面、４４：帯状部、４６：ヘッド部、５６：ヘッド収容部、６４：切欠部、６６：電気接続箱、６８：ワイヤハーネス導出部（支持部材）
【図１】
2014158313.tif 000003
【図２】
2014158313.tif 000004
【図３】
2014158313.tif 000005
【図４】
2014158313.tif 000006
【図５】
2014158313.tif 000007
【図６】
2014158313.tif 000008